【事件の表示】
　平成　８年特許願第１９３１２５号「枚葉印刷機」拒絶査定不服審判事件〔平成１０年　２月１０日出願公開、特開平１０−　３４８９１〕について、次のとおり審決する。
【結　論】
　本件審判の請求は、成り立たない。
【理　由】
１．手続の経緯 ・本願発明
　本願は、平成８年７月２３日の出願であって、平成１７年９月９日付けで拒絶査定がなされ、これに対して同年１０月２０日付けで拒絶査定に対する審判請求がなされたものである。
　
　本願の請求項１に係る発明は、特許請求の範囲の請求項１に記載された事項により特定された次のとおりのものと認める。（以下「本願発明」という。） 
　
　「走行する搬送チェーンと、この搬送チェーンに支持され枚葉紙を把持する爪と爪台とを有する爪竿と、この爪竿によって搬送される枚葉紙を検査する検査装置と、この検査装置によって検査する位置で被検査枚葉紙を案内する紙案内部材とを備えた枚葉印刷機において、前記紙案内部材は、枚葉紙を案内する案内面と、この案内面に枚葉紙を添接させる吸気孔と、前記爪の走行経路に対応する溝とを備えるとともに、前記紙案内部材を、前記爪竿によって搬送される枚葉紙の搬送経路と案内面とが略同じ高さとなるように配設したことを特徴とする枚葉印刷機。」
　
２．引用刊行物の記載事項
　原査定の拒絶の理由に引用され、本願出願前に頒布された刊行物である特開平５−２５４０９１号公報（以下、「刊行物１」という。）には、以下の記載が図示とともにある。
　
　ア．「【請求項１】　シート輪転印刷機で印刷されたシートを品質コントロールするための装置であって、制御可能なグリッパ（７）を支持した、チエーンで案内されるグリッパビーム（８）を備えた形式のものにおいて、相互間隔を置いて位置していてその間をグリッパビーム（８）が通過走行する、２つの処理装置の間の中空間（１）内のグリッパ（７）の上側の移動路の上方に、シート（５）側に平らな吸引面（３）を備えたサクションボックス（２）が設けられており、サクションボックス（２）の下方であり、かつグリッパ（７）の下側の移動路の下方に光学／電子式撮影装置（１６）が配置されており、この撮影装置（１６）が同期化装置と接続されていることを特徴とする、シート輪転印刷機が印刷されたシートをコントロールするための装置。」
　イ．「【０００４】　【実施例】　例えば印刷機とデリバリ（両方とも図示せず）との間の中空間１内にはサクションボックス２が配置されている。サクションボックス２は平らな、下側の吸引面３を有し、吸引面は多数の開口４を有している。サクションボックス２は多数の管を介して吸引空気源と接続されている。サクションボックス２の長さはその都度このシート輪転印刷機で印刷すべきシート型の長さにほぼ等しい。サクションボックス２のシート走行方向が（矢印で示される方向）でみて前方に吸引ロール６を配置することができる。吸引ロール６の最下位点と吸引面３とはチェーンで案内されるシートグリッパ７の最高隆起部の移動路の直近に位置している。シートグリッパ７はグリッパ機構にまとめられていて、それぞれグリッパビーム８に配置されている。各グリッパビーム８は公知の形式で２つの搬送チェーン９間にあり、かつこれに固定されている。搬送チェーン９は多数のグリッパビーム８を支持し、その数は、グリッパビームが例えば印刷機からデリバリまで進んで戻るべき距離に依存する。２つのグリッパビーム間の距離は公知の形式で印刷可能な最大シート長よりもそれぞれ若干大きい。
　【０００５】　シートグリッパ７の移動路からサクションボックス２までの距離は、シートグリッパ７によって搬送されるシート５がサクションボックス２の吸引面３によって吸引され、これに沿って引張られ、かつこれによってピンと張った状態で引張られるように設計されている。シートが例えばＣＣＤ−ラインカメラまたはＣＣＤ−面カメラ１６を用いた光学／電子式の品質コントロールを受ける間はシートはピンと張って、折り目のない状態に整えられていることが重要である。」
　ウ．「【００１１】　撮影すべき、あないしは走査すべきシート５はフラッシュおよび走査の時点に完全に折り目のない状態になければならずまたシートはまだサクションボックス２の吸引面３を去り始めてはならない。撮影装置１６から走査すべきシート５の下面までの距離ａは一定であり、その水平位置は固定されている。」
　エ．「【図面の簡単な説明】・・・５　枚葉紙・・・」
　オ．【図１】からは、枚葉紙５が移動する搬送チェーン９に設けられたグリッパビーム８によって図面の右から左へ搬送される点及びサクションボックス２の吸引面３の下部にグリッパビーム走行路１２があり、シートグリッパ７はグリッパビーム走行路１２の上部でサクションボックス２の吸引面３に近い位置にある点が看取できる。
　
　ア．及びオ．の記載より、搬送チェーン９は「走行する」ものといえる。
　イ．の「シートグリッパ７はグリッパ機構にまとめられていて、それぞれグリッパビーム８に配置されている。」及び「シートグリッパ７によって搬送されるシート５」の記載より、グリッパビーム８はシートグリッパ７を有するといえ、また枚葉紙５はグリッパビーム８によって搬送されるといえる。
　ア．の「シート輪転印刷機で印刷されたシートを品質コントロールするための装置であって」、イ．の「シートが例えばＣＣＤ−ラインカメラまたはＣＣＤ−面カメラ１６を用いた光学／電子式の品質コントロールを受ける間は」の記載より、光学／電子式撮影装置１６は枚葉紙５を検査するものといえる。
　イ．の「シートグリッパ７によって搬送されるシート５がサクションボックス２の吸引面３によって吸引され、これに沿って引張られ、かつこれによってピンと張った状態で引張られるように設計されている。シートが例えばＣＣＤ−ラインカメラまたはＣＣＤ−面カメラ１６を用いた光学／電子式の品質コントロールを受ける間はシートはピンと張って、折り目のない状態に整えられていることが重要である。」及びウ．の「撮影すべき、あないしは走査すべきシート５はフラッシュおよび走査の時点に完全に折り目のない状態になければならずまたシートはまだサクションボックス２の吸引面３を去り始めてはならない。」の記載より、光学／電子式撮影装置１６によって検査する位置で、枚葉紙５がサクションボックス２の吸引面３によって吸引されているといえる。
　イ．の「吸引面は多数の開口４を有し、」及び「シート５がサクションボックス２の吸引面３によって吸引され、これに沿って引張られ」の記載より、開口４は「吸引面３に枚葉紙５を添接させる」ものといえる。
　イ．の「シートグリッパ７の最高隆起部の移動路」、「シートグリッパ７によって搬送されるシート５」及びオ．の記載より、枚葉紙５は、シートグリッパ７の最高隆起部の移動路近傍において搬送されているといえ、「シートグリッパ７の最高隆起部の移動路」は「枚葉紙の搬送経路近傍」といえるから、「サクションボックス２を枚葉紙の搬送経路近傍の上部に吸引面３が位置するように配設した」ものといえる。
　
　この記載事項を含む刊行物１全体の記載によると、刊行物１には、
「走行する搬送チェーン９と、この搬送チェーン９に支持されシートグリッパ７を有するグリッパビーム８と、このグリッパビーム８によって搬送される枚葉紙５を検査する光学／電子式撮影装置１６と、サクションボックス２とを備えたシート輪転印刷機であって、サクションボックス２は、吸引面３と、吸引面３に枚葉紙５を添接させる多数の開口４を有し、枚葉紙の搬送経路近傍の上部に吸引面３が位置するように配設され、光学／電子式撮影装置１６によって検査する位置で、枚葉紙５をサクションボックス２の吸引面３に沿って引っ張るようにしたシート輪転印刷機。」（以下「引用発明」という。）が記載されていると認められる。
　     
　また、原査定の拒絶の理由に引用され、本願出願前に頒布された刊行物である特開平５−１６３３１号公報（以下、「刊行物２」という。）には、以下の記載が図示とともにある。
　
　カ．「【００１３】　図２は反転機構１０とシート体排出ユニット５の拡大図である。反転機構１０は反転倍胴１８と反転渡し胴１９より構成され、反転倍胴１８はくわえ爪２１とサッカー２２を搭載している。尚、図には反転倍胴１８のくわえ爪しか図示してないが他の胴も各々くわえ爪を搭載している。シート体排出ユニット５はチェーンスプロケット１３、１４の間を回転している搬送チェーン１５と、搬送チェーン１５に設けられているシート体保持手段１６を中心に構成され、搬送チェーンを挟むように上側にガイド１１、下側に搬送中のシート体をガイドに非接触で圧接する手段が設けられている。
　【００１４】　図示してはいないが搬送チェーン１５は手前と奥に各一本づつ設けられており、その間に爪竿と呼ばれる支持体を渡し、その支持体にシート体保持手段１６が設けられている。シート体保持手段１６はくわえ爪を採用しており（以下、くわえ爪１６と記す）、シート体の幅方向に複数のくわえ爪１６を配置しシート体の端をくわえることでシート体を保持し、搬送チェーン１５の回転にともないシート体を保持したまま移動する。
　【００１５】ガイド１１は間隔をおいて幅方向に配置された複数のクロムメッキを施した鉄板より構成され、その間隔は前記搬送チェーン１５のくわえ爪１６の位置に対応し、搬送チェーン１５のくわえ爪１６が前記間隔の間を移動することでガイド１１と接触しないようにしている。また、ガイド１１は搬送チェーン１５の進行方向に対応して曲げてあり、その両端は搬送チェーン１５と反対方向に丸めてシート体表面にキズがつかないようにしてある。ガイド１１は移動するシート体に近い位置にセットすることが望ましく、１ｍｍから５０ｍｍの間、好ましくは３ｍｍから１０ｍｍの間隔をあける。」
　キ．「【００２１】　更にまた、ガイドにシート体を吸着する機構を設ければ一層確実にシート体をガイドに圧接させることができる。吸着する機構としては各ガイドに複数個の吸着口を設け、真空圧を発生させる真空ポンプと各吸着口をホースで結ぶと供に、各々の吸着口には複数個のローラーを設け、シート体を吸着すると同時にシート体の移動に合わせてローラーが回転するようにすればシート体を傷つけることなく吸着することが可能となり、印刷スピードを低下させることなく吸着出来るので、印刷能率を低下させる事もない。尚、前記ローラーはシート体の移動に合わせて回転すれば良いので独自の駆動機構を必要としていない。また、ローラーの表面に前記滑剤を塗布すればシート体の表面保護の効果が一層向上する。」
　
　この記載事項を含む刊行物２全体の記載によると、刊行物２には、
「ガイド１１が、間隔をおいて幅方向に配置された複数のクロムメッキを施した鉄板より構成され、その間隔は前記搬送チェーン１５のくわえ爪１６の位置に対応し、搬送チェーン１５のくわえ爪１６が前記間隔の間を移動することでガイド１１と接触しないようにし、更にガイドにシート体を吸着する機構を設けた点」が記載されている。
　
 ３．対比
　本願発明と引用発明を対比する。
　
　引用発明の「グリッパビーム８」、「光学／電子式撮影装置１６」、「シート輪転印刷機」はそれぞれ本願発明の「爪竿」、「検査装置」、「枚葉印刷機」に相当する。
　検査装置によって検査する位置にある枚葉紙５は「被検査枚葉紙」と称することができる。
　サクションボックス２の吸引面３によって枚葉紙５が吸引され、サクションボックス２の吸引面３に沿って引張られるものであるから、サクションボックス２を「紙案内部材」、吸引面３を「案内面」と称することができる。
　本願発明の「紙案内部材を、爪竿によって搬送される枚葉紙の搬送経路と案内面とが略同じ高さとなるように配設した」及び引用発明の「シートグリッパ７を有するグリッパビーム８と、このグリッパビーム８によって搬送される枚葉紙５」、「サクションボックス２は、・・・枚葉紙の搬送経路近傍の上部に吸引面３が位置するように配設され」から、本願発明と引用発明とは、「紙案内部材を、爪竿によって搬送される枚葉紙の搬送経路と案内面とが特定の距離になるように配設した点」で共通する。
　
　してみると、本願発明と引用発明とは、以下の点で一致し、相違している。
　
＜一致点＞
　 走行する搬送チェーンと、この搬送チェーンに支持される爪竿と、この爪竿によって搬送される枚葉紙を検査する検査装置と、この検査装置によって検査する位置で被検査枚葉紙を案内する紙案内部材とを備えた枚葉印刷機において、前記紙案内部材は、枚葉紙を案内する案内面と、この案内面に枚葉紙を添接させる吸気孔を備え、紙案内部材を、爪竿によって搬送される枚葉紙の搬送経路と案内面とが特定の距離になるように配設した枚葉印刷機の点。
　
＜相違点１＞
　本願発明では、爪竿が「枚葉紙を把持する爪と爪台とを有する」と特定されているのに対して、引用発明では、そのような特定がされたものではない点。
＜相違点２＞
　本願発明では、案内面に「爪の走行経路に対応する溝とを備える」と特定されているのに対して、引用発明では、そのような特定がされたものではない点。
＜相違点３＞
　本願発明では、「紙案内部材を、爪竿によって搬送される枚葉紙の搬送経路と案内面とが略同じ高さとなるように配設した」と特定されているのに対して、引用発明では、そのような特定がされたものではない点。
　
４．相違点についての検討
　＜相違点１＞について検討する。
  爪竿が「枚葉紙を把持する爪と爪台とを有する」点は、例えば実願昭６０−１５３５７号（実開昭６１−１３２３６０号）のマイクロフィルム（第４ページ第１５行目〜第５ページ第３行目、第１図）、実願平３−５４５３２号（実開平４−１３７８４３号）のマイクロフィルム（【０００４】、【０００５】、【図１１】）等に示されるように、爪竿の構成としてごく一般的なものであるから、爪竿を枚葉紙を把持する爪と爪台とを有するものとすることは、当業者であれば容易に想到し得る事項である。
　
　＜相違点２、３＞について検討する。
　刊行物１において、紙案内部材は「枚葉紙の搬送経路近傍の上部に案内面が位置するように配設」されており、「枚葉紙の搬送経路と案内面とが略同じ高さとなるように配設した」ものではない。しかしながら、引用発明においても、上記イ．に「シートグリッパ７の移動路からサクションボックス２までの距離は、シートグリッパ７によって搬送されるシート５がサクションボックス２の吸引面３によって吸引され、これに沿って引張られ、かつこれによってピンと張った状態で引張られるように設計されている」と記載されているように、検査位置において枚葉紙を確実に紙案内部材の案内面に吸着させることは、正確な検査結果を得る上で自明の課題である。枚葉紙の搬送経路と案内面との距離が近いほど枚葉紙を確実に紙案内部材の案内面に吸着させることができることは明らかであるから、枚葉紙の搬送経路と案内面とが略同じ高さとなるよう紙案内部材を配設することは、当業者であれば容易に想到し得る事項である。
　その際、枚葉紙の搬送が爪付きの搬送チェーンで行われる場合、爪があることによって枚葉紙の搬送経路と案内面とが離れることになる。刊行物２には、紙案内部材であるガイド１１に爪が退避するための空間を設けることによって、枚葉紙の搬送が爪付きの搬送チェーンで行われる場合であっても、紙案内部材と枚葉紙との間隔を小さくする点が記載されている。
　そして、引用発明のサクションボックス２と、刊行物２のガイド１１とは、いずれもその表面に紙を吸着させながら案内する部材で共通しており、刊行物２に記載の爪の走行経路に対応する部分に爪が退避するための空間を設ける構成を、引用発明のサクションボックス２に適用すること、及び引用発明のサクションボックス２に爪が退避するための空間を、その吸引面３に設けた溝とすることは、当業者であれば容易に想到し得る事項である。
　　
　そして本願発明の作用効果も、刊行物１、２に記載の発明及び周知技術から当業者が予測できる範囲のものである。
　
５．むすび
　したがって、本願発明は、刊行物１、２に記載の発明及び周知技術に基づいて当業者が容易に発明をすることができたものであるから、特許法２９条２項の規定により特許を受けることができず、本願のその余の請求項について検討するまでもなく本願は拒絶すべきものである。
　よって、結論のとおり審決する。